(57)【要約】【課題】  製品の在庫管理を生産工場側で行い、各拠点の販売会社による生産工場への納期管理業務の負担を低減し、かつ顧客への納期の遅延を防ぐようにした、在庫一元管理システムを提供する。【解決手段】  各拠点の販売会社が所持している在庫情報、注文情報、受注情報を抽出する。抽出したデータは、営業・在庫情報として、拠点サーバに付随する拠点基幹装置に格納する。各拠点基幹装置に格納された営業・在庫情報は、１箇所の中央基幹装置に格納され、各生産工場や各海外生産会社から閲覧することができる。【選択図】  図１
2006259933.tif 000002
【特許請求の範囲】
【請求項１】
拠点サーバ装置に付随する第１の拠点基幹装置とその拠点基幹装置のデータを集約する第２の中央基幹装置とがネットワークを経由して接続され、さらに第２の中央基幹装置と閲覧用端末とがネットワークを経由して接続されている在庫一元管理システムであって、
拠点サーバ装置は、
在庫情報を有する在庫マスタデータベースと、
注文情報を有する注文マスタデータベースと、
受注情報を有する受注マスタデータベースとを少なくとも具備し、
第１の拠点基幹装置は、
拠点サーバ装置の在庫情報と注文情報と受注情報とを営業・在庫情報として格納する拠点在庫管理データベースと、
拠点サーバ装置の上述データベースから在庫情報と注文情報と受注情報とを取得する拠点情報取得手段と、
自拠点基幹装置の営業・在庫情報を第２の中央基幹装置へ送信する拠点送信手段と、を具備し、
第２の中央基幹装置は、
第１の拠点基幹装置から取得した営業・在庫情報を格納する中央在庫管理データベースと、
第１の拠点基幹装置の上述拠点在庫管理データベースから営業・在庫情報を取得する中央情報取得手段と、
データベースに蓄積された営業・在庫情報を各生産工場の閲覧用端末や拠点サーバ装置へ送信させるデータ送信手段と、を少なくとも具備し、
各拠点の在庫情報を各生産工場の閲覧用端末で管理可能であることを特徴とする在庫一元管理システム。
【請求項２】
第１の拠点基幹装置の拠点情報取得手段は、
上述拠点サーバ装置からの送信データ到来により、処理を開始させるかどうかを判断する判断手段と、
上述拠点サーバ装置から送信された在庫情報と注文情報と受注情報とを受信するデータ受信手段と、
受信した在庫情報と注文情報と受注情報とを営業・在庫情報として、上述の拠点在庫管理データベースに蓄積させるデータ蓄積手段と、を具備し、
拠点サーバ装置から送信されたデータを受信することにより、拠点サーバ装置内の各マスタデータベースから最新の営業・在庫情報の受信を行う、
ことを特徴とする請求項１に記載の在庫一元管理システム。
【請求項３】
第１の拠点基幹装置の拠点情報送信手段は、
ある所定時間の到来により、処理を開始させるかどうかを判断する判断手段と、
処理開始時に指定した自拠点基幹装置の上述拠点在庫データベース内に格納されている営業・在庫情報を参照してデータを第２の中央基幹装置へ送信するデータ送信手段と、を具備し、
定期に実行することにより、拠点在庫管理データベース内に格納された最新の営業・在庫情報を送信する、
ことを特徴とする請求項１に記載の在庫一元管理システム。
【請求項４】
第２の中央基幹装置の中央情報取得手段は、
上述第１の拠点基幹装置からの送信データ到来により、処理を開始させるかどうかを判断する判断手段と、
第１の拠点基幹装置から送信された営業・在庫情報を受信するデータ受信手段と、
取得した営業・在庫情報を上述の中央在庫管理データベースに蓄積させるデータ蓄積手段と、を具備し、
第１の拠点基幹装置から送信されたデータを受信することにより、第１の拠点在庫管理データベース内に格納された最新の営業・在庫情報を受信する、
ことを特徴とする請求項１に記載の在庫一元管理システム。
【請求項５】
第２の中央基幹装置のデータ閲覧手段は、
端末装置からの閲覧画面表示指示を受け付ける操作受付手段と、
端末装置へ閲覧画面を送信する画面送信手段と、
端末装置からの検索指示を受け付ける検索受付手段と、
入力値を元に上述中央在庫管理データベースを検索するデータ検索手段と、を具備し、
端末装置からのデータ検索により、中央在庫管理データベース内に格納された営業・在庫情報を閲覧する、
ことを特徴とする請求項１に記載の在庫一元管理システム。
【発明の詳細な説明】
【技術分野】
【０００１】
本発明は、各海外拠点の販売会社と各生産工場との在庫一元管理システムに関する。
【背景技術】
【０００２】
各拠点の販売会社は販売物流システムと呼ばれるシステムが設けられ、販売会社毎に製品の在庫情報と注文情報と受注情報とを管理し、販売会社に製品の在庫が無くなると、その製品を生産している生産工場へ取り寄せていた。この方式は１９８０年代から日本で採用されていた。
【０００３】
なお、販売物流システムについては、いくつかの他の文献にも記載されている（例えば、特許文献１参照）。
【特許文献１】特開２００２−３６６８０３
【発明の開示】
【発明が解決しようとする課題】
【０００４】
しかしながら、販売会社は生産工場からの納期関連業務に多くの負担がかかり、本来の業務である顧客への営業業務が重視されなくなっていた。
【０００５】
また、販売会社が海外に存在する場合は、時差やタイムラグなどが生じ、生産工場側は、販売会社の最新在庫状況が把握できないため、現在庫数に適した数の製品を生産することが困難になっていたり、納品に遅延等が生じていた。
【０００６】
さらに、従来では、各拠点販売会社の在庫管理は、各々の販売会社に委ねられていたため、製品メーカ（各生産工場）側で一元管理を行うことは、販売会社が所有している権限を取ることになるため、実現が不可能であった。
【０００７】
本発明は、上述の問題点に着目してなされたものであり、その目的とするところは、製品の在庫管理を工場側で行い、各拠点の販売会社の生産工場への納期関連業務の負担を低減し、かつ顧客への納期の遅延を防ぐようにした、在庫一元管理システムを提供することにある。
【０００８】
この発明のさらに他の目的並びに作用効果については、明細書の以下の記述を参照することにより、当業者であれば容易に理解される筈である。
【課題を解決するための手段】
【０００９】
この発明の在庫一元管理システムは、拠点サーバ装置に付随する第１の拠点基幹装置とその拠点基幹装置のデータを集約する第２の中央基幹装置とがネットワークを経由して接続され、さらに第２の中央基幹装置と閲覧用端末とがネットワークを経由して接続されてなるものである。
【００１０】
拠点サーバ装置は、在庫情報を有する在庫マスタデータベースと、注文情報を有する注文マスタデータベースと、受注情報を有する受注マスタデータベースとを少なくとも具備している。
【００１１】
第１の拠点基幹装置は、拠点サーバ装置の在庫情報と注文情報と受注情報とを営業・在庫情報として格納する拠点在庫管理データベースと、拠点サーバ装置の上述データベースから在庫情報と注文情報と受注情報とを取得する拠点情報取得手段と、自拠点基幹装置の営業・在庫情報を第２の中央基幹装置へ送信する拠点送信手段と、を具備している。
【００１２】
第２の中央基幹装置は、第１の拠点基幹装置から取得した営業・在庫情報を格納する中央在庫管理データベースと、第１の拠点基幹装置の上述拠点在庫管理データベースから営業・在庫情報を取得する中央情報取得手段と、データベースに蓄積された営業・在庫情報を各生産工場の閲覧用端末や拠点サーバ装置へ送信させるデータ送信手段と、を少なくとも具備している。
【００１３】
「営業・在庫情報」とは、拠点サーバに格納されている在庫情報、注文情報、受注情報など、在庫管理に必要なデータを示す。
【００１４】
このような構成によれば、各拠点で独自に所持していた製品の在庫情報、注文情報、受注情報は、第１の拠点基幹装置でデータを取りまとめることにより、データの共通性を持たせることができる。
【００１５】
さらに、共通化したデータ（営業・在庫情報）を第２の中央基幹装置で１箇所に取りまとめることにより、各拠点の営業・在庫情報を一元管理することができる。各生産工場は第２の中央基幹装置に格納された各拠点の営業・在庫情報を把握することができる。
【００１６】
本発明システムの好ましい実施の形態にあっては、第１の拠点基幹装置の拠点情報取得手段は、拠点サーバ装置からの送信データ到来により、処理を開始させるかどうかを判断する判断手段と、拠点サーバ装置から送信された在庫情報と注文情報と受注情報とを受信するデータ受信手段と、受信した在庫情報と注文情報と受注情報とを営業・在庫情報として、拠点在庫管理データベースに蓄積させるデータ蓄積手段とを具備している。
【００１７】
このような構成によれば、拠点基幹装置は、拠点サーバから送信されたデータを効率的に取得することができる。
【００１８】
本発明システムの好ましい実施の形態にあっては、第１の拠点基幹装置の拠点情報送信手段は、ある所定時間の到来により、処理を開始させるかどうかを判断する判断手段と、処理開始時に指定した自拠点基幹装置の拠点在庫データベース内に格納されている営業・在庫情報を参照してデータを第２の中央基幹装置へ送信するデータ送信手段とを具備している。
【００１９】
このような構成によれば、拠点基幹装置は、拠点在庫データベースに格納されている営業・在庫情報を定期的に中央基幹装置へ送信することができ、各拠点の時差を気にすることなく、ネットワーク負荷をかけずに最新のデータを取得することができる。
【００２０】
本発明システムの好ましい実施の形態にあっては、第２の中央基幹装置の中央情報取得手段は、第１の拠点基幹装置からの送信データ到来により、処理を開始させるかどうかを判断する判断手段と、第１の拠点基幹装置から送信された営業・在庫情報を受信するデータ受信手段と、取得した営業・在庫情報を上述の中央在庫管理データベースに蓄積させるデータ蓄積手段と、を具備している。
【００２１】
このような構成によれば、中央基幹装置は、各拠点基幹装置から送信されたデータを効率的に取得することができる。
【００２２】
本発明システムの好ましい実施の形態にあっては、第２の中央基幹装置のデータ閲覧手段は、端末装置からの閲覧画面表示指示を受け付ける操作受付手段と、端末装置へ閲覧画面を送信する画面送信手段と、端末装置からの検索指示を受け付ける検索受付手段と、入力値を元に上述中央在庫管理データベースを検索するデータ検索手段と、を具備している。
【００２３】
このような構成によれば、中央基幹装置は、各端末装置からのデータ閲覧要求を受け付け、検索条件に適したデータを閲覧させることができる。
【発明の効果】
【００２４】
本発明によれば、各拠点販売会社の営業・在庫情報を１箇所に一元管理することで、各生産工場から販売会社が持っている在庫数を把握することができる。これにより、販売会社からへの納期も遅延することなく納品することができるとともに、過剰生産を防ぐことができる。
【発明を実施するための最良の形態】
【００２５】
以下に、この発明の好適な実施の一形態を添付図面を参照しながら詳細に説明する。
【００２６】
本発明が適用された在庫一元管理システムのシステム構成図が図１に示されている。同図に示されるように、この例の在庫一元管理システムは、海外を拠点とする海外販売会社の拠点サーバ１０と、その拠点サーバ１０に付随する拠点基幹装置１１と、中央基幹装置１２と、国内を拠点とする国内販売会社の拠点サーバ１３とを含んでいる。
【００２７】
海外販売会社の拠点サーバ１０は、販売担当営業が使用する販売物流システムと、在庫マスタデータベース１０１と、注文マスタデータベース１０２と、受注マスタデータベース１０３とを含んでいる。販売物流システムを介して、在庫マスタデータベース１０１には在庫情報が、注文マスタデータベース１０２には注文情報が、受注マスタデータベース１０３には受注情報が、それぞれ格納される。なお、説明の便宜上、図１では１組の構成要素のみが示されていることに注意されたい。
【００２８】
拠点基幹装置１１は、各拠点サーバ１０毎に設けられている。各拠点サーバ１０の各マスタデータベースに格納されている在庫情報と、注文情報と、受注情報とは、拠点期間装置内の拠点在庫管理データベース１１１に格納される。拠点在庫管理データベースに格納された営業・在庫情報は中央基幹装置１２に設けられている中央在庫管理データベース１２１に格納される。このデータ取得処理については、後に詳細に説明する。なお、説明の便宜上、図１では１組の構成要素のみが示されていることに注意されたい。
【００２９】
拠点基幹装置１１の内部構成を示すブロック図が図２に示されている。同図に示されるっように、拠点基幹装置１１は、プロセッサ２０１と、入力装置２０２と、出力装置２０３と、記憶装置２０４と、システムバス２０５とから構成されている。
【００３０】
プロセッサ２０１は、端末の動作を統括する中央処理装置である。プロセッサ２０１によって、記憶装置２０４に格納されたデータ受信プログラム２０６並びに、データ送信プログラム２０７が実行されることによって、データ取得やデータ格納の機能がソフトウェア的に実現される。
【００３１】
記憶装置２０４は、ＨＤＤ等である。記憶装置２０４のデータ領域には、データ受信プログラム２０６と、データ送信プログラム２０７と、拠点在庫管理データベース２０８とが記憶される。
【００３２】
システムバス２０５は、各構成要素を接続しており、外部インターフェース２０９と接続されている。外部インターフェース２０９は、ネットワークを介して海外販売会社の拠点サーバ１０または、中央基幹装置１２と接続されている。
【００３３】
中央基幹装置１２は、各拠点基幹装置１２のデータを一元管理するものである。そのため、この例の中央基幹装置１２は１つのみ設置されている。中央基幹装置１２は、各拠点基幹装置１１からの営業・在庫情報を中央在庫管理データベース１２１に格納する。格納された営業・在庫情報は、各国内工場１２２や各海外生産会社１２３に備えられている端末装置から閲覧される。また、中央基幹装置１２は、国内販売会社の拠点サーバ装置１３と接続し、国内販売会社の拠点サーバ装置１３内に設けられている国内拠点在庫管理データベース１３１と中央在庫管理データベースとの間で営業・在庫情報のデータ送受信が行われる。
【００３４】
中央基幹装置１２の内部構成を示すブロック図が図３に示されている。同図に示されるっように、中央基幹装置１２は、プロセッサ３０１と、入力装置３０２と、出力装置３０３と、記憶装置３０４と、システムバス３０５とから構成されている。
【００３５】
プロセッサ３０１は、端末の動作を統括する中央処理装置である。プロセッサ３０１によって、記憶装置３０４に格納されたデータ受信プログラム３０６、データ送信プログラム３０７、並びに、データ検索プログラム３０８が実行されることによって、データ取得やデータ格納の機能がソフトウェア的に実現される。
【００３６】
記憶装置３０４は、ＨＤＤ等である。記憶装置３０４のデータ領域には、データ受信プログラム３０６と、データ送信プログラム３０７、データ検索プログラム３０８と、中央在庫管理データベース３０９とが記憶される。
【００３７】
システムバス３０５は、各構成要素を接続しており、外部インターフェース３１０と接続されている。外部インターフェース３１０は、ネットワークを介して各拠点基幹装置１１、各国内工場１２２、各海外生産会社１２３、国内販売会社の拠点サーバ１３と接続されている。
【００３８】
次に、本発明に係る箇所を実現するための在庫一元管理処理のゼネラルフローチャートが図４に示されている。同図に示されるように、在庫情報と注文情報と受注情報とは、各拠点サーバ１０内の販売物流システムを介して、在庫マスタデータベース１０と注文マスタデータベース１１と受注マスタデータベース１２とのそれぞれに蓄積される（ステップ４０１）。
【００３９】
拠点サーバ１０内の各データベースにデータが蓄積され（ステップ４０１）、実行時間が到来すると、拠点基幹装置１１のデータ取得処理が開始される（ステップ４０２）。さらに、実行時間が到来すると、中央基幹装置１２のデータ取得処理が開始される（ステップ４０３）。中央基幹装置１２に営業・在庫情報が蓄積されると（ステップ４０３）、中央基幹装置１２のデータ閲覧処理が実行され（ステップ４０４）、本発明の特徴である各国内工場１２２または各海外生産会社１２３の端末装置から、各拠点販売会社の営業・在庫情報が閲覧可能になる。
【００４０】
拠点基幹装置１１のデータ取得処理（ステップ４０２）は、各拠点サーバ１０側で実行されるデータ送信処理と、拠点基幹装置１１側で実行されるデータ受信処理との２つの処理から構成される。また、この実施形態のデータ取得処理（ステップ４０２）は、１日に１回の間隔で処理が実行される。
【００４１】
各拠点サーバ１０による拠点基幹装置１１へデータ送信処理を示すフローチャートが図５に示されている。同図に示されるように、拠点サーバ１０は、現在の時間を取得する（ステップ５０１）。取得した現在の時間が予め指定した処理開始時間に達するまで、拠点サーバ１０は、待機状態が継続される（ステップ５０２ＮＯ）。取得した現在の時間が予め指定した処理開始時間に達した場合には（ステップ５０２ＹＥＳ）、同拠点サーバ１０内の在庫マスタデータベース１０１にアクセスされ、在庫マスタデータベース１０１内に格納されている過去２週間分の在庫情報が取得される（ステップ５０３）。在庫情報が取得されると（ステップ５０３）、同拠点サーバ１０内の注文マスタデータベース１０２にアクセスされ、注文マスタデータベース１０２内に格納されている過去２週間分の注文情報が取得される（ステップ５０４）。注文情報が取得されると（ステップ５０４）、同拠点サーバ１０内の受注マスタデータベース１０３にアクセスされ、受注マスタデータベース１０３に格納されている過去２週間分の受注情報が取得される（ステップ５０５）。受注情報が取得されると（ステップ５０５）、在庫情報と注文情報と受注情報とは、同拠点基幹装置１１へデータ送信される（ステップ５０６）。
【００４２】
拠点基幹装置１１に拠点サーバ１０からのデータ受信処理を示すフローチャートが図６に示されている。同図に示されるように、拠点基幹装置１１は、待機状態が維持され（ステップ６０１）、拠点サーバ１０からのデータ送信処理が行われるまで、待機状態が維持される（ステップ６０２ＮＯ）。拠点サーバ１０からのデータ送信処理が行われると（ステップ６０２ＹＥＳ）、拠点サーバ１０からの在庫情報、注文情報、受注情報が取得され、一時的に記憶装置内に格納される（ステップ６０３）。取得された在庫情報、注文情報、受注情報は、過去２週間分の営業・在庫情報として取りまとめられ、拠点基幹装置１１内の拠点在庫管理データベース１１１に格納される（ステップ６０４）。取得処理に該当するすべてのデータが、拠点在庫管理データベース１１１に格納されるまで、取得処理が実行される（ステップ６０５ＮＯ）。すべてのデータが、拠点在庫管理データベース１１１に格納されると（ステップ６０５ＹＥＳ）、データ受信処理は終了する。
【００４３】
中央基幹装置１２のデータ取得処理（ステップ４０３）は、各拠点基幹装置１１側で実行されるデータ送信処理と、中央基幹装置１２側で実行されるデータ受信処理との２つの処理から構成される。また、この実施形態のデータ取得処理（ステップ４０３）は、１日に１回の間隔で処理が実行され、拠点基幹装置１１と中央基幹装置１２とのデータ送受信は国際ＶＡＮ（Ｖａｌｕｅ  Ａｄｄｅｄ  Ｎｅｔｗｏｒｋ）を介して行われる。なお、国際ＶＡＮについては、各種の文献により既に広く知られているため説明は省略する。
【００４４】
各拠点基幹装置１１による中央基幹装置１２へデータ送信処理を示すフローチャートが図７に示されている。同図に示されるように、拠点基幹装置１１は、現在の時間を取得する（ステップ７０１）。取得した現在の時間が予め指定した処理開始時間に達するまで、拠点基幹装置１１は、待機状態が継続される（ステップ７０２ＮＯ）。取得した現在の時間が予め指定した処理開始時間に達した場合には（ステップ７０２ＹＥＳ）、拠点基幹装置１１内の在庫管理データベース１１１にアクセスされ、在庫管理データベース１１１内に格納されている１日分の営業・在庫情報が取得される（ステップ７０３）。在庫情報が取得されると（ステップ７０３）、営業・在庫情報は、中央基幹装置１２へデータ送信される（ステップ７０４）。
【００４５】
中央基幹装置１２に拠点期間装置１１からのデータ受信処理を示すフローチャートが図８に示されている。同図に示されるように、中央基幹装置１２は、待機状態が維持され（ステップ８０１）、拠点期間装置１１からのデータ送信処理が行われるまで、待機状態が維持される（ステップ８０２ＮＯ）。拠点期間装置１１からのデータ送信処理が行われると（ステップ８０２ＹＥＳ）、拠点期間装置１１からの営業・在庫情報が取得され、一時的に記憶装置内に格納される（ステップ８０３）。取得された営業・在庫情報は、中央機関装置１２内の中央在庫管理データベース１２１に格納される（ステップ８０４）。取得処理に該当するすべてのデータが、中央在庫管理データベース１２１に格納されるまで、取得処理が実行される（ステップ８０５ＮＯ）。すべてのデータが中央在庫管理データベース１２１に格納されると（ステップ８０５ＹＥＳ）、データ受信処理は終了する。
【００４６】
また、中央基幹装置１２のデータ取得処理（ステップ４０３）で、通信トラブル等により、中央基幹装置１２が拠点基幹装置１１の営業・在庫情報を取得できなかった場合には、拠点基幹装置１１に格納されている過去２週間分のデータにより、中央基幹装置１２にデータのリカバリーが可能である。これにより、通信トラブル等が起きても、拠点サーバ１０に格納されている各情報を参照しなくても、リカバリーが行われる。
【００４７】
拠点基幹装置１１内の拠点在庫管理データベース１１１と、中央基幹装置１２内の中央在庫管理データベース１２１とのレイアウト例が図９に示されている。同図に示されるように、データベースのデータ領域９００には、商品コード９０１と、拠点名称９０２と、Ｓｔｏｃｋ  Ｌｏｃａｔｉｏｎ（在庫保管場所）９０３と、現物有効残９０４と、入庫予定有効残９０５と、データ日付９０６との営業・在庫情報が格納されている。拠点基幹装置１１のデータ取得処理（ステップ４０２）が実行されることにより、拠点在庫管理データベース１１１に営業・在庫管理情報が格納される。また、中央基幹装置１２のデータ取得処理（ステップ４０３）が実行されることにより、中央在庫管理データベース１２１に営業・在庫情報が格納される。
【００４８】
次に、中央基幹装置１２のデータ閲覧処理（ステップ４０４）を示すフローチャートが図１０に示されている。同図に示されるように、中央基幹装置１２は、待機状態が維持され（ステップ１００１）、各国内工場１２２または各海外生産会社１２３の端末装置からのデータ閲覧指示要求が行われるまで、待機状態が維持される（ステップ１００２ＮＯ）。各国内工場１２２または各海外生産会社１２３の端末装置からのデータ閲覧指示要求が行われると、要求先の端末に在庫状況照会画面データが送信される（ステップ１００３）。在庫状況照会画面データが送信されると（ステップ１００３）、中央基幹装置１２は、データ検索指示要求の待機状態が維持され（ステップ１００４）、端末装置からデータ検索指示要求が行われるまで、待機状態が維持される（ステップ１００５ＮＯ）。端末装置からデータ検索指示要求が行われると、端末装置から送信されたデータ検索条件が読み込まれる（ステップ１００６）。読み込まれた値をキーにして、中央在庫管理データベース１２１が検索される（ステップ１００７）。検索が完了すると、検索結果が含まれた在庫状況照会画面データが端末装置に送信される（ステップ１００８）。在庫状況照会画面データが端末装置に送信されると（ステップ１００８）、端末装置で該当する製品に対しての営業・在庫情報が閲覧可能となる。
【００４９】
在庫状況照会画面の表示例を示す説明図が図１１に示されている。同図に示されるように、在庫状況照会画面１１０１は、Ｐｒｏｄｕｃｔ  Ｃｏｄｅ入力欄１１０２と、Ｓｔａｒｔ  Ｄａｔｅ入力欄１１０３と、各拠点毎の営業・在庫情報１１０４、各拠点毎の受注数量１１０５と、全拠点の合計１１０６とから構成されている。Ｐｒｏｄｕｃｔ  Ｃｏｄｅ入力欄１１０２と、Ｓｔａｒｔ  Ｄａｔｅ入力欄１１０３とを入力して検索を行うと、該当する製品に対しての中央基幹装置１２内の営業・在庫情報が閲覧可能となる。
【００５０】
本実施形態システムを利用した販売物流・在庫管理システムのシステム全体図が図１２に示されている。同図に示されるように、販売物流・在庫管理システムは、［１］海外販売会社からの発注、［２］海外販売会社からの発注を受注、［３］工場から製品の出荷、［４］製品を海外販売会社へ輸出、［５］取引成立後の売上分配、の動作が行われる。各海外販売会社の販売物流システム１２０１では、製品の在庫情報１２０２と、顧客からの受注情報１２０３と、営業担当からの発注情報１２０４とが営業・在庫情報として、販売物流システム内のデータベースに蓄積される。蓄積された営業・在庫情報は、定期実行によるデータ送受信処理により、各海外販売会社の販売物流システムに付随する拠点基幹装置１２０５の在庫管理データベースに蓄積される。各拠点基幹装置の在庫管理データベースに格納された営業・在庫情報は、世界１箇所（この例では日本国内）に設けられている中央基幹装置１２０６の在庫管理データベースに定期的に蓄積される。これにより、海外各地域に存在している販売会社の営業・在庫情報が１箇所に集約される。集約された営業・在庫情報は、図示しない各生産工場または各海外生産会社から容易に確認することが可能になる。
【００５１】
各生産工場または各海外生産会社側から営業・在庫情報を確認できることから、各生産工場または各海外生産会社側で製品の在庫管理が行うことができる。さらに、販売会社の在庫情報により効率の良い生産が行え、納期の遅延を防ぐことが可能になる。
【００５２】
以上の実施形態のように、本在庫一元管理システムは、各拠点販売会社の在庫情報等を一元管理することで、製品の在庫管理が工場側で行うことができる。それにより、各拠点の販売会社の生産工場への納期関連業務の負担を低減し、かつ顧客への納期の遅延を防ぐことが可能になる。
【産業上の利用可能性】
【００５３】
本発明によれば、各拠点販売会社の営業・在庫情報を１箇所に一元管理することで、各生産工場から販売会社が持っている在庫数を把握することができる。これにより、販売会社からへの納期も遅延することなく納品することができるとともに、過剰生産を防ぐことができる。
【図面の簡単な説明】
【００５４】
【図１】本実施形態システムのシステム構成図である。
【図２】拠点基幹装置の内部構成を示すブロック図である。
【図３】中央基幹装置の内部構成を示すブロック図である。
【図４】本実施形態システムの在庫管理の動作を示すゼネラルフローチャートである。
【図５】拠点サーバによる拠点基幹装置へデータ送信処理を示すフローチャートである。
【図６】拠点基幹装置による拠点サーバからのデータ受信を示すフローチャートである。
【図７】拠点基幹装置による中央基幹装置へデータ送信処理を示すフローチャートである。
【図８】中央基幹装置による拠点基幹装置からのデータ受信処理を示すフローチャートである。
【図９】中央（拠点）在庫管理データベース内のレイアウト例を示す説明図である。
【図１０】中央基幹装置によるデータ閲覧処理を示すフローチャートである。
【図１１】在庫状況照会画面の表示例を示す説明図である。
【図１２】本実施形態システムを利用した販売物流・在庫管理システムのシステム全体図である。
【符号の説明】
【００５５】
１      開発支援装置
１０    拠点サーバ
１０１  在庫マスタデータベース
１０２  注文マスタデータベース
１０３  受注マスタデータベース
１１    拠点基幹装置
１１１  拠点在庫管理データベース
１２    中央基幹装置
１２１  中央在庫管理データベース
１２２  国内工場
１２３  海外生産会社
１３    国内拠点サーバ
１３１  国内拠点在庫管理データベース
２０１  プロセッサ
２０２  入力装置
２０３  出力装置
２０４  記憶装置
２０５  システムバス
２０６  データ受信プログラム
２０７  データ送信プログラム
２０８  拠点在庫管理データベース
２０９  インターフェース
３０１  プロセッサ
３０２  入力装置
３０３  出力装置
３０４  記憶装置
３０５  システムバス
３０６  データ受信プログラム
３０７  データ送信プログラム
３０８  データ検索プログラム
３０９  中央在庫管理データベース
３１０  インターフェース
９００  データベースのデータ領域
９０１  商品コード
９０２  拠点名称
９０３  Ｓｔｏｃｋ  Ｌｏｃａｔｉｏｎ（在庫保管場所）
９０４  現物有効残
９０５  入庫予定有効残
９０６  データ日付
１１０１  在庫状況照会画面
１１０２  Ｐｒｏｄｕｃｔ  Ｃｏｄｅ入力欄
１１０３  Ｓｔａｒｔ  Ｄａｔｅ入力欄
１１０４  各拠点毎の営業・在庫情報
１１０５  各拠点毎の受注数量
１１０６  全拠点の合計
１２０１  販売物流システム
１２０２  在庫情報
１２０３  受注情報
１２０４  発注情報
１２０５  拠点基幹装置
１２０６  中央基幹装置
【図１】
2006259933.tif 000003
【図２】
2006259933.tif 000004
【図３】
2006259933.tif 000005
【図４】
2006259933.tif 000006
【図５】
2006259933.tif 000007
【図６】
2006259933.tif 000008
【図７】
2006259933.tif 000009
【図８】
2006259933.tif 000010
【図９】
2006259933.tif 000011
【図１０】
2006259933.tif 000012
【図１１】
2006259933.tif 000013
【図１２】
2006259933.tif 000014